(57)【要約】      （修正有）【課題】振動モータの長さを縮小して，装着される製品を小型化する。【解決手段】ハウジング１の内部にマグネット７と，マグネットの外側に回転軸８と固定されたコイル９が備えられ，ハウジングの外側に回転軸に固定された偏心質量により，回転の際に振動を発生する振動モータにおいて，回転軸の長さはハウジングの内部に収容される長さを有し，コイルの外周の一部に所定の高さと幅を有し，断面円弧状の偏心質量を接着剤，粘着テープまたは収縮チューブを利用して取り付けるようにする。又，コイルには電源を供給するセグメント１２に突出部を形成し，過度に供給された半田がセグメントの本体と突出部の間に形成された溝に流入されるようにする。さらに，セグメントに電源を供給するブラシに固定孔と容易に除去できるブラシの連結部を形成し，ベースブラシに突起を形成してブラシとベースブラシの固定を容易にする。【選択図】図１
2005125321.tif 000002
【特許請求の範囲】
【請求項１】
ハウジングの内部にマグネットと，前記マグネットの外側に回転軸と固定されたコイルが備えられ，電源が印加されるベースブラシに固定され前記コイルと接触するセグメントが備えられ，前記回転軸に固定された偏心質量により，回転の際にハウジングの外側に振動を発生する振動モータにおいて，
前記回転軸の長さはハウジングの内部に収容される長さを有し，
前記コイルの外周の一部に所定の高さと幅を有し，断面円弧状の偏心質量が取り付けられて成ることを特徴とする振動モータ。
【請求項２】
前記偏心質量は，接着剤により前記コイルに取り付けられることを特徴とする請求項1記載の振動モータ。
【請求項３】
前記偏心質量は，粘着テープにより前記コイルに取り付けられることを特徴とする請求項1記載の振動モータ。
【請求項４】
前記偏心質量は，加熱により収縮する収縮チューブを使用して前記コイルに取り付けられることを特徴とする請求項1記載の振動モータ。
【請求項５】
前記セグメントは，絶縁体で分割した領域の外側から突出する連結部と，前記連結部に一端が連結され所定の長さの円弧形状に形成され前記コイルに連結される半田付け部が形成されることを特徴とする請求項1記載の振動モータ。
【請求項６】
前記ブラシは，円弧形状の金属薄板からなり，前記ベースブラシの突起に固定孔が形成される固定部と，前記固定部の一端で折曲され前記ベースブラシの中心側に延長される接触部とから成り，左右対称であることを特徴とする請求項1記載の振動モータ。
【請求項７】
前記接触部の端部は枝状になるように形成され，前記ブラシを形成することを特徴とする請求項6記載の振動モータ。
【発明の詳細な説明】
【技術分野】
【０００１】
本発明は，携帯電話，無線呼出機及びその他製品に内蔵され振動を発生する振動モータに関し，さらに詳しくは，振動モータの長さを短縮し，装着される製品の大きさを小型化することができ，また，回転子に電源が安定的に供給され，組立作業が容易な振動モータに関する。
【背景技術】
【０００２】
一般的に，携帯電話，無線呼出機及びその他製品には，信号を使用者に知らせるための手段の一つとして振動を利用する。
【０００３】
振動を発生する通常の方法では，モータの回転軸に偏心された質量体を取り付け，モータを回転して振動を発生する。
【０００４】
従来の振動モータの構成を見てみると，図8に示すように，ハウジング51の下部に固定されるブラケット52の中心に，ヨーク53を固定し，ヨーク53の外側にはマグネット56を固定する。円筒形のコイル58をモールド60を利用して回転軸59と固定し，回転子アセンブリを構成する。前記回転子アセンブリは，前記回転軸59がヨーク53の内部に挿入され，前記コイル58は前記マグネット56の外側に位置するように挿入する。
【０００５】
前記モールド60の上部面には，中間が折曲されたセグメント61を固定し，該セグメント61とベースブラシ65の電源端子に連結されたブラシ64が接触するようにし，外部の電源をコイル58に供給する。
【０００６】
前記振動モータに電流が印加されると，コイル58が磁化され回転子アセンブリが回転し，このとき回転軸59の下部に固定された偏心質量63により振動が発生する。
【０００７】
しかし，前記のような従来の振動モータは偏心質量63が外部に露出しているため，振動モータの長さを小型化することに限界があり，回転する偏心質量63が外部に露出していて，希に他の部材により回転せずに，不良の原因になるという問題点があった。
【０００８】
また，電源が印加される部分には，図9aに示すように微細な大きさのブラシ64を，ベースブラシ65に形成した溝にあわせて挿入しなければならないため組立に長時間を要し，作業者が微細な部品を長時間注視しながら作業しなければならないため疲労を増大させるという問題点を有していた。
【０００９】
さらに，セグメント61’は図9bに示すディスク形態のものも使用される。このような場合には，図8に示す構成を有する振動モータにおいて，ブラシ64 ，ベースブラシ65の代わりに，ディスク形態のセグメント61’を回転軸59の上部に固定し，ベースブラシ65の下部にブラシ64’を挿入し，ブラシ64’の端部を前記セグメント61’の表面と接触するようにする。回転軸59の上部に備えられ，外部から印加された電源をコイルに供給するセグメント61’は，絶縁体と区分された各領域とコイル58の端部を半田付けを利用して接続しなければならないが，たまに半田付けの作業時に半田が過度に供給され，各領域を区分する絶縁体を越えて隣接したセグメント61’の領域と半田で接続されてしまい，電源供給の際に短絡し，振動モータの作動が不可能な場合も時々あった。
【発明の開示】
【発明が解決しようとする課題】
【００１０】
本発明は，前述のような問題点を解決するために発明されたものであって，振動モータの長さを縮小して振動モータの大きさを縮小することができる振動モータを提供することに目的がある。
【００１１】
本発明の別の目的は，コイルに電源を供給するブラシの組立が容易であるようにし，前記ブラシと接触するセグメントをコイルと半田付けで接続するとき，短絡することを防止できる振動モータを提供することに別の目的がある。
【課題を解決するための手段】
【００１２】
前記目的を達成するために，本発明の振動モータは，ハウジング1の内部にマグネット7と，前記マグネット7の外側に回転軸8と固定されたコイル9が備えられ，電源が印加されるベースブラシ14に固定され前記コイルと接触するセグメント12が備えられ，前記回転軸8に固定された偏心質量により，回転の際にハウジング1の外側に振動を発生する振動モータにおいて，前記回転軸8の長さはハウジング1の内部に収容される長さを有し，前記コイル9の外周の一部に所定の高さと幅を有し，断面円弧状の偏心質量10が取り付けられることを特徴とする。
【００１３】
前記偏心質量10は，接着剤を使用してコイル9に取り付けることができる。
【００１４】
また，前記偏心質量10は，粘着テープ21を使用してコイル9に取り付けあるいは，加熱収縮する収縮チューブ22を使用してコイル9に取り付けることができる。
【００１５】
また，前記セグメント12は，絶縁体で分割された領域の外側から突出する接続部12cと，前記接続部12cに一端が接続され所定の長さの円弧形状に形成されコイル9に接続される半田付け部12dを形成することができる。
【００１６】
さらに，前記ブラシ13は，円弧形状の金属薄板からなり，ベースブラシ14の突起14aに固定孔が形成される固定部13aと，前記固定部13aの一端で折曲されベースブラシ14の中心側に延長される接触部13bから成り，左右対称に構成することができる。
【００１７】
なお，前記接触部13bの端部は枝状に形成して，前記ブラシ13を形成することができる。
【発明の効果】
【００１８】
本発明は，前記構成を有し，以下に記載される効果を奏する。
【００１９】
前記偏心質量が振動モータの外部に固定されるのではなく，内部の空間に収容され，振動モータの全体長を縮小して振動モータをさらに小型化することができる。又，振動モータが小型化されることにより，振動モータが適用される機器をも小型化することができる。
【００２０】
又，前記偏心質量が振動モータに内蔵され，外部で偏心質量が回転する場合に比し，他の部材により偏心質量の回転が阻害される確率を減少することができる。
【００２１】
さらに，前記ブラシと前記セグメントを平行に接触するようにし，ブラシとセグメントの接触不良を防止して振動モータの効率を向上することができる。
【発明を実施するための最良の形態】
【００２２】
以下，添付図面を参照して本発明の振動モータについて説明する。
【００２３】
ハウジング1は，薄板材質を加工して円筒に形成され，内部に本発明の振動モータと他の構成要素が収容されるようにし，ハウジング1の下部にはブラケット2が固定される。ブラケット2の外周には円周に沿って外径がハウジング1の内径と一致する凸条部が形成され，ブラケット2とハウジング1が嵌合固定される。
【００２４】
ハウジング1の中心には，外周に磁性を有するマグネット7が取り付けられたヨーク3は，上部と下部に上部メタル5及び下部メタル4を嵌装して，ハウジング1の内部に垂直に配置することができる。
【００２５】
前記ハウジング1の内壁と前記マグネット7の間には，所定の間隔を有する空間が形成され，回転子アセンブリ11が収容される。
【００２６】
前記回転子アセンブリ11には，コイル9，回転軸8，セグメント12及び偏心質量10を含む。前記コイル9は，従来の振動モータのように，被覆された電線を巻取して円筒形に形成され，モールドが形成された回転軸8の上部に固定される。前記回転軸8に固定された前記コイル9は，円筒形に形成されて上部部分のみ回転軸8に固定されているため，回転軸8をハウジング1の上部から下部に固定すると，回転軸8はヨーク3の中心に位置し，前記コイル9は，前記マグネット7と前記ハウジング1により形成される空間の間に位置する。前記セグメント12は，前記コイル9と半田で接続され，前記セグメント12に印加された電流は，コイル9に流れてこのコイル9を磁化する。
【００２７】
前記回転子アセンブリ11は，ヨーク3及びマグネット7を内装する。前記回転子アセンブリ11の前記回転軸8は前記ヨーク3の内部に挿入され，前記マグネット7の外側にコイル9が位置する。このとき，前記コイル9の外側に取り付けられた偏心質量10は，前記ハウジング1の内壁とコイル9間に形成される空間に位置する。
【００２８】
一方，コイル9の外周の一部には所定の高さと幅を有し，断面円弧状の偏心質量10が取り付けられる。偏心質量10は，ほぼコイル9の外周曲率と同様な曲率を有し，金属のように比重が大きい材質の板状部材からなる。このとき，前記偏心質量10は前記コイル外周の全面を包囲せずに，外周の一部のみを包囲するようにする。
【００２９】
ここで，前記偏心質量10を前記コイル9の外側に取り付ける方法は，様々有り得るが，接着剤，粘着テープ及び収縮チューブを利用して取り付け，あるいは一体に射出することもできる。
【００３０】
偏心質量10をコイル9に取り付ける際，前記コイル9の外側に接着剤を塗布し，前記偏心質量10を塗布された前記接着剤により取り付けるか，前記コイル9の外側に偏心質量10を配置して，前記コイル9及び前記偏心質量10の外側を粘着テープが取り囲むようにして，前記偏心質量10をコイル9の外側に取り付けることもできる。また，加熱収縮する収縮チューブを利用して，前記コイル9の外側に前記偏心質量10を配置して，前記コイル9と前記偏心質量10を取り囲むように前記収縮チューブ内に外装した後，加熱収縮させて前記コイル9に偏心質量を取り付けることもできる。 
【００３１】
又，回転子アセンブリ11の上部に備えられ前記コイル9に電源を供給するセグメント12についてより詳細に説明すると，セグメント12は，該セグメント12の外周面外側に突出部12aが形成される。前記セグメント12は，前記回転子のコイル9に互いに異なる相の電流を供給するために，通常，3つの領域に分けられており，それぞれの領域で外側に突出する突出部12aが形成される。それぞれの領域は等角度で分割され，それぞれの領域の境界には，絶縁物質からなる絶縁部12bが備えられる。
【００３２】
このような突出部12aは，セグメント12の外周と同心円の切欠き円弧状のL字形状を呈した形態に形成され，セグメント12の本体から突出する接続部12cと，所定の長さを有し，一端が接続部12cに接続され，セグメント12の外周に沿って形成され半田付けでコイル9と接続される半田付け部12dからなる。従って，接続部12cと半田付け部12dからなる突出部12aは，セグメント12の外周と同心円の切欠き円弧状のL字形状を呈した形態に形成されているため，突出部12aの半田付け部12dとセグメント12本体の間には溝が形成される。
【００３３】
セグメント12本体と突出部12aの半田付け部12dの間に形成された溝は，セグメント12とコイル9の端部が半田付けで接続されるとき，過度に供給された半田が前記溝に流れ込んで溝内に流入するため，半田が前記セグメント12の上部面に流れることを防止する。従って，セグメント12の上部面に半田が過度に供給され，セグメント12の各領域を区分する絶縁部12bを越えて，隣接した領域と電気的に接続されることを防止する。
【００３４】
一方，前記セグメント12に接触されるブラシ13は，ベースブラシ14に固定される固定部13aと，前記セグメント12と接触される接触部13bからなる。
【００３５】
固定部13aは，振動モータのキャップの役割を果たし，外部から電源が印加される端子が備えられたベースブラシ14に固定される構成要素であって，円弧形状に形成され，互いに線対称に形成された一対の固定部13aを一端部が隣接するようにベースブラシ14上に固定する。固定部13aには，ベースブラシ14の内部面に突出された突起14aに挿入される固定孔13cが形成される。
【００３６】
前記ブラシ13の一端では，前記セグメント12と接触する接触部13bが端部から突出する。前記接触部13bが突出する方向は，ベースブラシ14に前記ブラシ13が固定されたとき，前記接触部13bの突出端部がベースブラシ14の中心方向を向かうようにする。
【００３７】
前記ブラシ13は，全体的に伝導率が良い銅のような金属薄板からなり，平面の形態に形成されるものの，前記固定部13aの他端には折曲され前記ベースブラシ14に挿入されて，外部から電源が印加されるようにし，前記接触部13bは，中間部分が折曲され固定部13aと所定の角度を保つように傾斜して形成され，端部は凹状に形成され枝形になるようにする。前記接触部13bの端部を凹状に形成してセグメント12と接触が円滑であるようにし，前記接触部13bの端部を枝形になるようにして，組立の際に接触部13bの弾性力を調節できるようにする。このとき，固定部13aの他端が向かう方向と接触部13bが傾けられた方向が，相互に反対方向になるようにする。
【００３８】
一方，前記ブラシ13は，互いに左右対称に形成される2つのブラシ13の一端がブラシの連結部13dで互いに連結された状態に形成され，ベースブラシ14にブラシ13を組立てた後，前記ブラシの連結部13dを除去する。
【００３９】
ベースブラシ14に形成された突起14aがブラシ13の固定孔13cを貫通するように固定した後，突起14aを高熱で圧着して突起14aを形成し，ブラシ13が離脱しないようにする。前記ベースブラシ14にブラシ13を固定する過程では，ブラシ13が左右に分割された状態ではなく，左右側のブラシ13がブラシの連結部13dにより連結された状態である。左右側の前記ブラシ13の端部を一端側に突出されたブラシの連結部13dにおいて連結し，組立の際には左右側のブラシ13が連結された状態で固定し，固定が完了した状態でブラシの連結部13dを除去する。従って，作業の際に，従来のように微細なベースブラシ上にブラシを挿入せず，簡単に，ベースブラシ14とブラシ13を連結した状態で，ブラシ13の一部であるブラシの連結部13dを除去することにより、組み立てが容易になる。
【００４０】
前記ベースブラシ14とブラシ13が固定された状態で，ブラシ13の前記接触部13bの端部がセグメント12の上部に接するように固定する。接触部13bの端部が曲面に形成されているため，回転子アセンブリと一体に固定されたセグメント12が回転しても，セグメント12の領域別の境界面でかかる現象が防止される。
【００４１】
前述のような構成を有する本発明の振動モータの作用は，次の通りである。
【００４２】
本発明の振動モータが適用された機器において，振動信号を発生するべき必要があるとき，制御部からベースブラシ14の電源端子に電源を印加する。ベースブラシ14の電源端子に引き入れられた電流は，ブラシ13を通してセグメント12に伝えられ，次いでコイル9に引き入れられる。コイル9に電流が印加されるとコイル9は磁化され，回転子アセンブリ11が回転し始める。
【００４３】
回転子アセンブリ11が回転すると，外側に取り付けられた偏心質量10により振動が発生する。偏心質量10は，前記コイル9の外側一部分にのみ取り付けられているため，回転子アセンブリの回転時に回転中心と質量中心が偏心されることにより振動が発生する。
【００４４】
回転子アセンブリの回転により発生した振動は，機器の全体に伝えられ使用者に所定の信号が入力されたことを認識させる。
【図面の簡単な説明】
【００４５】
【図１】本発明に係る振動モータの分解斜視図，
【図２】本発明に係る振動モータの断面図，
【図３】本発明に係る振動モータの回転子アセンブリの斜視図，
【図４ａ】本発明に係る振動モータの別の実施例による回転子アセンブリの斜視図，
【図４ｂ】本発明に係る振動モータのまた別の実施例による回転子アセンブリの斜視図，
【図５】本発明に係る振動モータのセグメントの詳細図，
【図６ａ】本発明に係る振動モータのブラシの詳細図，
【図６ｂ】本発明に係る振動モータのブラシの側面図，
【図７ａ】本発明に係る振動モータのブラシとベースブラシの固定前の斜視図，
【図７ｂ】本発明に係る振動モータのブラシとベースブラシの固定後の斜視図，
【図８】従来技術による振動モータの分解斜視図，
【図９ａ】従来技術によるブラシとベースブラシの固定関係を示す斜視図である。
【図９ｂ】他の従来技術によるブラシとベースブラシの固定関係を示す斜視図である。
【符号の説明】
【００４６】
1 : ハウジング                      
2 : ブラケット
3 : ヨーク                          
4 : 下部メタル 
5 : 上部メタル                      
6 : ワッシャー
7 : マグネット                      
8 : 回転軸
9 : コイル                          
10 : 偏心質量
11 : 回転子アセンブリ               
12 : セグメント
12a：突出部
12b：絶縁部
12c：接続部
12d：半田付け部
13 : ブラシ
13a：固定部
13b：接触部
13c：固定孔
13d：連結部                         
14 : ベースブラシ
14a：突起
21 : 粘着テープ                     
22 : 収縮チューブ
51 : ハウジング                     
52 : ブラケット
53 : ヨーク                         
54 : 下部メタル
55 : 上部メタル                     
56 : マグネット
57 : ワッシャー                     
58 : コイル
59 : 回転軸                         
60 : モールド
61 : セグメント 
61'：セグメント                    
63 : 偏心質量
64 : ブラシ                         
65 : ベースブラシ
【図１】
2005125321.tif 000003
【図２】
2005125321.tif 000004
【図３】
2005125321.tif 000005
【図４ａ】
2005125321.tif 000006
【図４ｂ】
2005125321.tif 000007
【図５】
2005125321.tif 000008
【図６ａ】
2005125321.tif 000009
【図６ｂ】
2005125321.tif 000010
【図７ａ】
2005125321.tif 000011
【図７ｂ】
2005125321.tif 000012
【図８】
2005125321.tif 000013
【図９ａ】
2005125321.tif 000014
【図９ｂ】
2005125321.tif 000015